(57)【特許請求の範囲】
【請求項１】
テレビジョン放送を視聴可能にするための複数のＩＣカードが装着されるカード装着部と、
選局されたチャンネルの放送信号を受信する受信部と、
前記放送信号から、所定の視聴期間を開始するための所定の視聴期間開始情報を取得するとともに、取得された前記所定の視聴期間開始情報を、前記複数のＩＣカードのうち、選局されたチャンネルの前記放送信号の処理に用いられる前記ＩＣカードと、選局されたチャンネルの前記放送信号の処理に用いられる前記ＩＣカード以外の前記ＩＣカードとに対して送信する制御を行う制御部と、を備える、放送受信装置。
【請求項２】
前記制御部は、取得された前記所定の視聴期間開始情報を、前記カード装着部に装着された前記複数のＩＣカードの全てに対して送信する制御を行うように構成されている、請求項１に記載の放送受信装置。
【請求項３】
送信された前記所定の視聴期間開始情報のチャンネルに関するチャンネル情報を記憶する第１記憶部、をさらに備え、
前記制御部は、前記チャンネル情報に基づいて、取得された前記所定の視聴期間開始情報のチャンネルが、以前に送信された前記所定の視聴期間開始情報のチャンネルであると判断される場合には、前記ＩＣカードに対して、取得された前記所定の視聴期間開始情報を送信しない制御を行うように構成されている、請求項１または２に記載の放送受信装置。
【請求項４】
送信された前記所定の視聴期間開始情報を記憶する第２記憶部、をさらに備え、
前記制御部は、前記カード装着部に前記ＩＣカードが装着された場合に、前記カード装着部に装着された前記ＩＣカードに対して、前記第２記憶部に記憶された前記所定の視聴期間開始情報を送信する制御を行うように構成されている、請求項１〜３のいずれか１項に記載の放送受信装置。
【請求項５】
前記制御部は、所定の条件で、前記第２記憶部に記憶された前記所定の視聴期間開始情報を消去する制御を行うように構成されている、請求項４に記載の放送受信装置。
【請求項６】
前記所定の条件は、前記放送受信装置を初期化する場合を含む、請求項５に記載の放送受信装置。
【請求項７】
前記所定の視聴期間開始情報は、ＥＣＭ（Ｅｎｔｉｔｌｅｍｅｎｔ  Ｃｏｎｔｒｏｌ  Ｍｅｓｓａｇｅ）情報を含む、請求項１〜６のいずれか１項に記載の放送受信装置。
【請求項８】
選局されたチャンネルの放送信号を受信部により受信するステップと、
前記放送信号から、所定の視聴期間を開始するための所定の視聴期間開始情報を取得するとともに、取得された前記所定の視聴期間開始情報を、テレビジョン放送を視聴可能にするためにカード装着部に装着される複数のＩＣカードのうち、選局されたチャンネルの前記放送信号の処理に用いられる前記ＩＣカードと、選局されたチャンネルの前記放送信号の処理に用いられる前記ＩＣカード以外の前記ＩＣカードとに対して送信する制御を制御部により行うステップと、を備える、放送受信方法。
【発明の詳細な説明】
【技術分野】
【０００１】
この発明は、放送受信装置および放送受信方法に関し、特に、複数のＩＣカードが装着される放送受信装置およびこの放送受信装置の放送受信方法に関する。
【背景技術】
【０００２】
従来、複数のＩＣカードが装着される放送受信装置が知られている（たとえば、特許文献１参照）。
【０００３】
上記特許文献１には、暗号化された放送信号を受信する受信部と、暗号化された放送信号を復号（デスクランブル）するデスクランブル部と、を備え、デスクランブル部に復号のための鍵情報を提供するＩＣカードを複数装着することが可能な放送受信装置が開示されている。また、一般的に、このような鍵情報を提供するＩＣカードには、契約を要する有料放送を契約なしで（無料で）視聴可能な仮視聴期間（たとえば、１週間の期間）が設定されている場合がある。
【先行技術文献】
【特許文献】
【０００４】
【特許文献１】特開２０１０−１９９８５２号公報
【発明の概要】
【発明が解決しようとする課題】
【０００５】
ここで、放送事業者は、１枚のＩＣカードに設定された仮視聴期間が１台の放送受信装置の仮視聴期間となることを意図して、ＩＣカードに上記の仮視聴期間を設定していると考えられる。しかしながら、上記特許文献１に記載の放送受信装置では、複数のＩＣカードが用いられるため、ＩＣカード毎に設定された仮視聴期間を利用すれば、本来放送受信装置毎に固定の期間（たとえば、１週間）であるはずの仮視聴期間が、ＩＣカードの数分だけ延長されてしまう場合があるという問題点がある。
【０００６】
この発明は、上記のような課題を解決するためになされたものであり、この発明の１つの目的は、複数のＩＣカードが用いられる場合であっても、視聴期間が延長されることを抑制することが可能な放送受信装置および放送受信方法を提供することである。
【課題を解決するための手段】
【０００７】
この発明の第１の局面による放送受信装置は、テレビジョン放送を視聴可能にするための複数のＩＣカードが装着されるカード装着部と、選局されたチャンネルの放送信号を受信する受信部と、放送信号から、所定の視聴期間を開始するための所定の視聴期間開始情報を取得するとともに、取得された所定の視聴期間開始情報を、複数のＩＣカードのうち、選局されたチャンネルの放送信号の処理に用いられるＩＣカードと、選局されたチャンネルの放送信号の処理に用いられるＩＣカード以外のＩＣカードとに対して送信する制御を行う制御部と、を備える。なお、本発明で、所定の視聴期間とは、契約を要するテレビジョン放送を契約なしで視聴することが可能な期間を意味する。
【０００８】
この発明の第１の局面による放送受信装置では、上記のように制御部を構成する。これにより、選局されたチャンネルの放送信号の処理に用いられるＩＣカードだけでなく、選局されたチャンネルの放送信号の処理に用いられるＩＣカード以外のＩＣカードにおいても所定の視聴期間を開始させることができる。その結果、カード装着部に装着された複数のＩＣカードの中で、所定の視聴期間の開始されていないＩＣカードが生じるのを抑制することができるので、所定の視聴期間の開始されていないＩＣカードを用いて所定の視聴期間が延長されるのを抑制することができる。したがって、複数のＩＣカードが用いられる場合であっても、契約を要するテレビジョン放送を契約なしで視聴することが可能な所定の視聴期間が延長されることを抑制することができる。
【０００９】
上記第１の局面による放送受信装置において、好ましくは、制御部は、取得された所定の視聴期間開始情報を、カード装着部に装着された複数のＩＣカードの全てに対して送信する制御を行うように構成されている。このように構成すれば、カード装着部に装着された複数のＩＣカードの全てにおいて所定の視聴期間を開始させることができる。その結果、所定の視聴期間が延長されるのをより確実に抑制することができる。
【００１０】
上記第１の局面による放送受信装置において、好ましくは、送信された所定の視聴期間開始情報のチャンネルに関するチャンネル情報を記憶する第１記憶部、をさらに備え、制御部は、チャンネル情報に基づいて、取得された所定の視聴期間開始情報のチャンネルが、以前に送信された所定の視聴期間開始情報のチャンネルであると判断される場合には、ＩＣカードに対して、取得された所定の視聴期間開始情報を送信しない制御を行うように構成されている。このように構成すれば、所定の視聴期間開始情報が取得される度にＩＣカードに対して所定の視聴期間開始情報を送信する場合と異なり、既に所定の視聴期間が開始されたチャンネルについては、所定の視聴期間開始情報を送信しないようにすることができる。その結果、所定の視聴期間開始情報の送信に係る制御部の動作を簡素にしつつ、所定の視聴期間が延長されるのを抑制することができる。
【００１１】
上記第１の局面による放送受信装置において、好ましくは、送信された所定の視聴期間開始情報を記憶する第２記憶部、をさらに備え、制御部は、カード装着部にＩＣカードが装着された場合に、カード装着部に装着されたＩＣカードに対して、第２記憶部に記憶された所定の視聴期間開始情報を送信する制御を行うように構成されている。このように構成すれば、所定の視聴期間の開始されていないＩＣカードがカード装着部に装着されたとしても、第２記憶部に記憶された過去の所定の視聴期間開始情報に基づいて、過去の時点から所定の視聴期間を開始させることができる。その結果、所定の視聴期間を延長するために、たとえば複数のＩＣカードのうちカード装着部に装着されていないＩＣカードが使用される場合や、複数のＩＣカードとは異なる新たなＩＣカードが使用される場合などにも、所定の視聴期間が延長されるのを抑制することができる。
【００１２】
この場合、好ましくは、制御部は、所定の条件で、第２記憶部に記憶された所定の視聴期間開始情報を消去する制御を行うように構成されている。このように構成すれば、所定の視聴期間開始情報を消去することができるので、たとえば放送受信装置が新たな正規のユーザに譲渡され、新たな正規のユーザが正規に入手したＩＣカードがカード装着部に装着された場合に、第２記憶部に記憶された過去の所定の視聴期間開始情報に基づいて、過去の時点から所定の視聴期間が開始されるのを防止することができる。その結果、新たな正規のユーザが所定の視聴期間に所定の視聴できなくなるのを抑制することができる。
【００１３】
上記所定の条件で所定の視聴期間開始情報を消去する構成において、好ましくは、所定の条件は、放送受信装置を初期化する場合を含む。このように構成すれば、譲渡の際に一般的に行われる初期化を条件として、所定の視聴期間開始情報を消去することができる。その結果、新たな正規のユーザが所定の視聴期間に所定の視聴できなくなるのを確実に抑制することができる。
【００１４】
上記第１の局面による放送受信装置において、好ましくは、所定の視聴期間開始情報は、ＥＣＭ（Ｅｎｔｉｔｌｅｍｅｎｔ  Ｃｏｎｔｒｏｌ  Ｍｅｓｓａｇｅ）情報を含む。このように構成すれば、ＥＣＭ情報を所定の視聴期間開始情報として用いる受信方法において、所定の視聴期間が延長されるのを確実に抑制することができる。
【００１５】
この発明の第２の局面による放送受信方法は、選局されたチャンネルの放送信号を受信部により受信するステップと、放送信号から、所定の視聴期間を開始するための所定の視聴期間開始情報を取得するとともに、取得された所定の視聴期間開始情報を、テレビジョン放送を視聴可能にするためにカード装着部に装着される複数のＩＣカードのうち、選局されたチャンネルの放送信号の処理に用いられるＩＣカードと、選局されたチャンネルの放送信号の処理に用いられるＩＣカード以外のＩＣカードとに対して送信する制御を制御部により行うステップと、を備える。
【００１６】
この発明の第２の局面による放送受信方法では、上記のように放送受信装置の制御部により行うステップを設ける。これにより、上記第１の局面による放送受信装置の場合と同様に、複数のＩＣカードが用いられる場合であっても、所定の視聴期間が延長されることを抑制することができる。
【発明の効果】
【００１７】
本発明によれば、上記のように、複数のＩＣカードが用いられる場合であっても、視聴期間が延長されることを抑制することが可能な放送受信装置および放送受信方法を提供することができる。
【図面の簡単な説明】
【００１８】
【図１】本発明の第１〜第３実施形態による放送受信装置の全体構成を示すブロック図である。
【図２】本発明の第１実施形態による放送受信装置における複数のＩＣカードに対してＥＣＭ情報が送信される場合を説明するための図である。
【図３】本発明の第１実施形態による放送受信装置の仮視聴期間を説明するための図である。
【図４】本発明の第１実施形態による放送受信装置の選局時の仮視聴期間開始処理を説明するためのフローチャートである。
【図５】本発明の第２実施形態による放送受信装置の仮視聴期間を説明するための図である。
【図６】本発明の第２実施形態による放送受信装置のカード装着時の仮視聴期間開始処理を説明するためのフローチャートである。
【発明を実施するための形態】
【００１９】
以下、本発明を具体化した実施形態を図面に基づいて説明する。
【００２０】
[第１実施形態]
（放送受信装置の構成）
まず、図１を参照して、本発明の第１実施形態による放送受信装置１００の構成について説明する。
【００２１】
本発明の第１実施形態による放送受信装置１００は、限定受信方式によるデジタルテレビジョン放送信号（以下、単に放送信号という）を受信し、放送番組の視聴、放送番組の録画および録画された放送番組の再生などを行うことが可能なデジタルテレビジョン放送受信装置である。
【００２２】
この放送受信装置１００は、図１に示すように、複数（３つ）のカード装着部１１（１１ａ〜１１ｃ）と、複数（９つ）の受信部１２（１２ａ〜１２ｉ）と、復調部１３と、多重分離部１４と、デスクランブル部１５と、音声デコード部１６と、映像デコード部１７と、画像合成部１８とを備えている。また、放送受信装置１００は、記憶部１９と、録画用記憶部２０と、制御部２１とを備えている。なお、記憶部１９は、本発明の「第１記憶部」の一例である。
【００２３】
カード装着部１１は、テレビジョン放送を視聴可能にするためのＩＣカードＣが装着可能に構成されている。この第１実施形態では、放送受信装置１００には、３つのカード装着部１１ａ〜１１ｃが設けられている。また、３つのカード装着部１１ａ〜１１ｃには、それぞれ、ＩＣカードＣ１〜Ｃ３（ＩＣカードＣ）が放送受信装置１００と通信可能に装着されている。また、ＩＣカードＣ１〜Ｃ３には、契約を要するデジタルテレビジョン放送を契約なしで視聴することが可能な仮視聴期間が設定されている。この仮視聴期間の開始方法の詳細については、後述する。なお、仮視聴期間は、本発明の「所定の視聴期間」の一例である。
【００２４】
複数（９つ）の受信部１２ａ〜１２ｉの構成は、互いに略同様であるので、ここでは受信部１２として説明する。受信部１２は、チューナを含み、放送局から配信される多重化された放送信号を有線または無線で受信するように構成されている。詳細には、受信部１２は、制御部２１の制御に基づいて、選局されたチャンネル（放送局に割り当てられた周波数帯）の放送信号を受信するように構成されている。
【００２５】
復調部１３は、受信部１２により受信された放送信号を復調して、多重分離部１４に送信するように構成されている。
【００２６】
多重分離部１４は、多重化された放送信号を、ＥＣＭ（Ｅｎｔｉｔｌｅｍｅｎｔ  Ｃｏｎｔｒｏｌ  Ｍｅｓｓａｇｅ）情報、音声情報、映像情報などの個別の情報に分離するように構成されている。
【００２７】
ここで、制御部２１は、多重分離部１４により分離されたＥＣＭ情報を取得するとともに、取得されたＥＣＭ情報を、複数（３つ）のＩＣカードＣ（Ｃ１〜Ｃ３）のうち、選局されたチャンネルのデスクランブル処理に用いられるＩＣカードＣに対して送信する制御を行うように構成されている。このＥＣＭ情報には、暗号化された放送信号を復号（デスクランブル）するためのスクランブル鍵と、仮視聴期間を開始するための時間情報とが含まれている。なお、ＥＣＭ情報は、本発明の「仮視聴期間開始情報」の一例である。
【００２８】
そして、デスクランブル処理に用いられるＩＣカードＣは、制御部２１からＥＣＭ情報を取得するとともに、取得されたＥＣＭ情報から、所定の処理によりスクランブル鍵および仮視聴期間を開始するための時間情報を取得するように構成されている。これにより、選局されたチャンネルが仮視聴期間の設定されているチャンネルである場合には、選局されたチャンネルのデスクランブル処理に用いられるＩＣカードＣにおいて仮視聴期間が開始される。また、以降は、このＩＣカードＣにより仮視聴期間が管理される。
【００２９】
また、デスクランブル処理に用いられるＩＣカードＣは、取得されたスクランブル鍵をデスクランブル部１５に送信するように構成されている。
【００３０】
デスクランブル部１５は、ＩＣカードＣからスクランブル鍵を取得するとともに、取得されたスクランブル鍵により音声情報や映像情報を復号（デスクランブル）するように構成されている。また、デスクランブル部１５は、復号された音声情報を音声デコード部１６に送信し、復号された映像情報を映像デコード部１７に送信するように構成されている。
【００３１】
音声デコード部１６は、入力された音声情報をデコードして、スピーカ１０１に送信するように構成されている。これにより、放送信号のうち音声情報に基づいて音声がスピーカ１０１から出力される。
【００３２】
映像デコード部１７は、入力された映像情報をデコードして、画像合成部１８を介してモニタ１０２に送信するように構成されている。これにより、放送信号のうち映像情報に基づいて映像がモニタ１０２に出力（表示）される。この際、モニタ１０２に出力される映像とスピーカ１０１から出力される音声とは、互いに同期して出力される。
【００３３】
画像合成部１８は、制御部２１の制御に基づいて、映像情報に基づく映像に合成される画像（電子番組表などの画像）を生成し、生成された画像を映像に合成するように構成されている。また、画像合成部１８は、合成される画像と映像情報に基づく映像とを合成した状態で、映像情報をモニタ１０２に送信するように構成されている。
【００３４】
記憶部１９は、ＲＯＭおよびＲＡＭなどのメモリを含んでいる。記憶部１９は、制御部２１により実行される各種のプログラムが格納されるように構成されている。また、記憶部１９は、プログラムが制御部２１により実行される際などに作業領域として利用されるように構成されている。
【００３５】
録画用記憶部２０は、ハードディスクなどの記憶媒体を含み、放送番組などのコンテンツを記憶するように構成されている。録画用記憶部２０の記憶媒体は、内蔵または外付けとすることが可能である。
【００３６】
制御部２１は、ＣＰＵを含み、放送受信装置１００の各構成要素を制御するように構成されている。
【００３７】
（ＥＣＭ情報の送信制御）
ここで、第１実施形態では、図２に示すように、制御部２１は、ＥＣＭ情報が取得された場合には、取得されたＥＣＭ情報を、複数のＩＣカードＣ（Ｃ１〜Ｃ３）のうち、選局されたチャンネルの放送信号のデスクランブル処理に用いられる（デスクランブル処理用の）ＩＣカードＣに対して送信するのに加えて、選局されたチャンネルの放送信号のデスクランブル処理に用いられるＩＣカード以外の（選局されたチャンネルの放送信号のデスクランブル処理に用いられない）ＩＣカードＣに対しても送信するように構成されている。
【００３８】
図２を参照して、このＥＣＭ情報の送信制御について具体例に基づいて説明する。図２では、受信部１２ａにより受信された放送信号のデスクランブル処理用のＩＣカードＣとして、カード装着部１１ａに装着されたＩＣカードＣ１を用いる例を示している。
【００３９】
この場合、受信部１２ａで受信された放送信号が含むＥＣＭ情報は、デスクランブル処理用のＩＣカードＣ１だけでなく、デスクランブル処理に用いられないＩＣカードＣ２およびＣ３に対しても送信される。
【００４０】
なお、図２の例では、ＩＣカードＣ１がデスクランブル処理用のＩＣカードＣである場合について説明したが、ＩＣカードＣ２がデスクランブル処理用のＩＣカードＣである場合には、ＩＣカードＣ２に加えてＩＣカードＣ１およびＣ３にもＥＣＭ情報を送信し、ＩＣカードＣ３がデスクランブル処理用のＩＣカードＣである場合には、ＩＣカードＣ３に加えてＩＣカードＣ１およびＣ２にもＥＣＭ情報を送信する制御が制御部２１により行われる。
【００４１】
つまり、第１実施形態では、制御部２１は、ＥＣＭ情報が取得された場合には、取得されたＥＣＭ情報を、カード装着部１１に装着されたＩＣカードＣの全てに対して送信する制御を行うように構成されている。
【００４２】
この結果、図３に示すように、複数（３つ）のＩＣカードＣ（Ｃ１〜Ｃ３）において、同時（図３では、Ｘ月１日）に仮視聴期間を開始させ、同時（図３では、Ｘ月８日）に仮視聴期間を終了させることが可能となる。
【００４３】
また、図１に示すように、制御部２１は、複数（３つ）のＩＣカードＣ（Ｃ１〜Ｃ３）に対してＥＣＭ情報が送信された場合には、送信されたＥＣＭ情報を記憶部１９に記憶する制御を行うように構成されている。なお、ＥＣＭ情報は、本発明の「チャンネル情報」の一例である。
【００４４】
第１実施形態では、制御部２１は、記憶部１９に記憶されたＥＣＭ情報に基づいて、以後に取得されたＥＣＭ情報のチャンネルが、以前に送信されたＥＣＭ情報のチャンネルであるか否かを判断する制御を行うように構成されている。
【００４５】
そして、制御部２１は、以後に取得されたＥＣＭ情報のチャンネルが、以前に送信されたＥＣＭ情報のチャンネルであると判断される場合には、選局されたチャンネルのデスクランブル処理に用いられるＩＣカードＣに対して、取得されたＥＣＭ情報を送信する制御を行う一方、選局されたチャンネルのデスクランブル処理に用いられないＩＣカードＣに対して、取得されたＥＣＭ情報を送信しない制御を行うように構成されている。
【００４６】
また、制御部２１は、以後に取得されたＥＣＭ情報のチャンネルが、以前に送信されたＥＣＭ情報のチャンネルではないと判断される場合には、上記のように、選局されたチャンネルの放送信号のデスクランブル処理に用いられるＩＣカードＣに加えて、選局されたチャンネルの放送信号のデスクランブル処理に用いられないＩＣカードＣに対しても、取得されたＥＣＭ情報を送信する制御を行うように構成されている。
【００４７】
つまり、制御部２１は、取得されたＥＣＭ情報が、初めて選局されたチャンネルのＥＣＭ情報である場合には、複数（３つ）のＩＣカードＣの全てに対してＥＣＭ情報を送信し、取得されたＥＣＭ情報が、初めて選局されたＥＣＭ情報ではない場合には、デスクランブル処理に用いられるＩＣカードＣだけに対してＥＣＭ情報を送信するように構成されている。
【００４８】
（選局時の仮視聴期間開始処理）
次に、図４を参照して、選局時の仮視聴期間開始処理についてフローチャートに基づいて説明する。放送受信装置１００の動作は、制御部２１により行われる。
【００４９】
図４に示すように、まず、ステップＳ１において、所定のチャンネルが選局される。この結果、選局されたチャンネルの放送信号が受信部１２により受信される。
【００５０】
そして、ステップＳ２において、ステップＳ１で選局されたチャンネルの放送信号のＥＣＭ情報が取得される。
【００５１】
そして、ステップＳ３において、記憶部１９に記憶されたＥＣＭ情報に基づいて、以前にＥＣＭ情報が取得されたチャンネルか否かが判断される。以前にＥＣＭ情報が取得されたチャンネルであると判断される場合には、デスクランブル処理に用いられないＩＣカードに対してＥＣＭ情報が送信されることなく、デスクランブル処理に用いられるＩＣカードＣに対してＥＣＭ情報が送信され、フローが終了される。
【００５２】
一方、ステップＳ３において、以前にＥＣＭ情報が取得されたチャンネルではないと判断される場合には、仮視聴期間が開始されていないチャンネルであると考えられるため、ステップＳ４に進む。
【００５３】
そして、ステップＳ４において、カード装着部１１に装着された全てのＩＣカードＣに対してＥＣＭ情報が送信される。その後、ステップＳ５において、ステップＳ４の処理で送信されたＥＣＭ情報が記憶部１９に記憶され、フローが終了される。
【００５４】
（第１実施形態の効果）
第１実施形態では、以下のような効果を得ることができる。
【００５５】
第１実施形態では、上記のように、放送信号から、仮視聴期間を開始するためのＥＣＭ情報を取得するとともに、取得されたＥＣＭ情報を、複数のＩＣカードＣのうち、選局されたチャンネルの放送信号のデスクランブル処理に用いられるＩＣカードＣ（たとえば、ＩＣカードＣ１）と、選局されたチャンネルの放送信号のデスクランブル処理に用いられるＩＣカードＣ以外のＩＣカードＣ（たとえば、ＩＣカードＣ２およびＣ３）とに対して送信する制御を行うように制御部２１を構成する。これにより、選局されたチャンネルの放送信号のデスクランブル処理に用いられるＩＣカードＣだけでなく、選局されたチャンネルの放送信号のデスクランブル処理に用いられないＩＣカードＣにおいても仮視聴期間を開始させることができる。その結果、カード装着部１１に装着された複数のＩＣカードＣの中で、仮視聴期間の開始されていないＩＣカードＣが生じるのを抑制することができるので、仮視聴期間の開始されていないＩＣカードＣを用いて仮視聴期間が延長されるのを抑制することができる。したがって、複数のＩＣカードＣが用いられる場合であっても、契約を要するテレビジョン放送を契約なしで視聴することが可能な仮視聴期間が延長されることを抑制することができる。
【００５６】
また、第１実施形態では、上記のように、取得されたＥＣＭ情報を、カード装着部１１に装着された複数のＩＣカードＣの全てに対して送信する制御を行うように制御部２１を構成する。これにより、カード装着部１１に装着された複数のＩＣカードＣの全てにおいて仮視聴期間を開始させることができる。その結果、仮視聴期間が延長されるのをより確実に抑制することができる。
【００５７】
また、第１実施形態では、上記のように、記憶部１９に記憶されたＥＣＭ情報に基づいて、取得されたＥＣＭ情報のチャンネルが、以前に送信されたＥＣＭ情報のチャンネルであると判断される場合には、ＩＣカードＣに対して、取得されたＥＣＭ情報を送信しない制御を行うように制御部２１を構成する。これにより、ＥＣＭ情報が取得される度にＩＣカードＣに対してＥＣＭ情報を送信する場合と異なり、既に仮視聴期間が開始されたチャンネルについては、ＥＣＭ情報を送信しないようにすることができる。その結果、ＥＣＭ情報の送信に係る制御部２１の動作を簡素にしつつ、仮視聴期間が延長されるのを抑制することができる。
【００５８】
また、第１実施形態では、上記のように、仮視聴期間開始情報は、ＥＣＭ情報である。これにより、ＥＣＭ情報を仮視聴期間開始情報として用いる受信方法において、仮視聴期間が延長されるのを確実に抑制することができる。
【００５９】
[第２実施形態]
次に、図１、図５および図６を参照して、第２実施形態について説明する。この第２実施形態では、初めて取得されたＥＣＭ情報を、ＩＣカードＣに対して送信した上記第１実施形態の構成に加えて、カード装着部１１に新たなＩＣカードＣが装着された場合にも、ＥＣＭ情報を送信する例について説明する。
【００６０】
（放送受信装置の構成）
本発明の第２実施形態による放送受信装置２００は、図１に示すように、制御部１２１を備える点で、上記第１実施形態の放送受信装置１００とは相違する。なお、上記第１実施形態と同一の構成については、同じ符号を付してその説明を省略する。
【００６１】
（ＥＣＭ情報の送信制御）
第２実施形態では、図５に示すように、制御部１２１は、カード装着部１１にＩＣカードＣが装着された場合に、カード装着部１１に装着されたＩＣカードＣに対して、記憶部１９に記憶されたＥＣＭ情報（以前に取得されたＥＣＭ情報）を送信する制御を行うように構成されている。なお、記憶部１９は、本発明の「第２記憶部」の一例である。
【００６２】
図５を参照して、このＥＣＭ情報の送信制御について具体例に基づいて説明する。図５では、Ｘ月１日の時点で、カード装着部１１ａにＩＣカードＣ１が装着され、あるチャンネルの仮視聴期間が開始された後、Ｘ月１日よりも後のＸ月２０日の時点で、カード装着部１１ａに新たなＩＣカードＣ４が装着される場合について説明する。なお、新たなＩＣカードＣ４は、あるチャンネルの仮視聴期間が開始されていないＩＣカードＣである。
【００６３】
この場合、カード装着部１１ａにＩＣカードＣ４が装着された場合に、以前に取得されたＥＣＭ情報が新たなＩＣカードＣ４に対して送信されなければ、Ｘ月２０日以後のあるチャンネルが選局されたタイミング（図５では、Ｘ月２０日のタイミング）で、仮視聴期間（従来の仮視聴期間）が開始される。このため、実質的に仮視聴期間が延長されるという不都合が生じる。
【００６４】
一方、第２実施形態の放送受信装置２００では、カード装着部１１ａにＩＣカードＣ４が装着された場合に、以前に取得されたＥＣＭ情報が新たなＩＣカードＣ４に対して送信される。その結果、Ｘ月２０にＩＣカードＣ４が装着されたとしても、以前に取得された（Ｘ月１日に取得された）ＥＣＭ情報に基づいて、Ｘ月１日から仮視聴期間を開始させることが可能となる。また、この場合には、従来のタイミングで従来の仮視聴期間は開始されない。
【００６５】
また、第２実施形態では、制御部１２１は、装着されたＩＣカードＣのカード識別情報（たとえば、カードＩＤ）を取得し、記憶部１９に記憶する制御を行うように構成されている。また、制御部１２１は、カード装着部１１にＩＣカードＣが装着された場合には、記憶部１９に記憶されたカード識別情報に基づいて、以前に装着されたＩＣカードＣであるか否かを判断するように構成されている。
【００６６】
そして、制御部１２１は、以前に装着されたＩＣカードＣであると判断される場合には、カード装着部１１に装着されたＩＣカードＣに対して、記憶部１９に記憶されたＥＣＭ情報を送信しない制御を行うように構成されている。
【００６７】
また、制御部１２１は、以前に装着されたＩＣカードＣではないと判断される場合には、カード装着部１１に装着されたＩＣカードＣに対して、記憶部１９に記憶されたＥＣＭ情報を送信する制御を行うように構成されている。
【００６８】
なお、第２実施形態のその他の構成は、上記第１実施形態と同様である。
【００６９】
（カード装着時の仮視聴期間開始処理）
次に、図６を参照して、カード装着時の仮視聴期間開始処理についてフローチャートに基づいて説明する。放送受信装置２００の動作は、制御部１２１により行われる。
【００７０】
図６に示すように、カード装着部１１にＩＣカードＣが装着されると、まず、ステップＳ１１において、予め取得されたカード識別情報に基づいて、以前に装着されたＩＣカードＣであるか否かが判断される。以前に装着されたＩＣカードＣであると判断される場合には、記憶部１９に記憶されたＥＣＭ情報が送信されることなく、フローが終了される。
【００７１】
一方、ステップＳ１１において、以前に装着されたＩＣカードＣではないと判断される場合には、カード装着部１１に新たに装着されたＩＣカードＣに対して、記憶部１９に記憶されたＥＣＭ情報が送信され、フローが終了される。
【００７２】
（第２実施形態の効果）
第２実施形態では、以下のような効果を得ることができる。
【００７３】
第２実施形態では、上記のように、選局されたチャンネルの放送信号のデスクランブル処理に用いられるＩＣカードＣと、選局されたチャンネルの放送信号のデスクランブル処理に用いられないＩＣカードＣとに対して送信する制御を行うように制御部１２１を構成する。これにより、上記第１実施形態と同様に、複数のＩＣカードＣが用いられる場合であっても、仮視聴期間が延長されることを抑制することができる。
【００７４】
また、第２実施形態では、上記のように、カード装着部１１にＩＣカードＣが装着された場合に、カード装着部１１に装着されたＩＣカードＣに対して、記憶部１９に記憶されたＥＣＭ情報を送信する制御を行うように制御部１２１を構成する。これにより、仮視聴期間の開始されていないＩＣカードＣ（たとえば、ＩＣカードＣ４）がカード装着部１１に装着されたとしても、記憶部１９に記憶された過去のＥＣＭ情報に基づいて、過去の時点から仮視聴期間を開始させることができる。その結果、仮視聴期間を延長するために、たとえば複数のＩＣカードＣのうちカード装着部１１に装着されていないＩＣカードＣが使用される場合や、複数のＩＣカードＣとは異なる新たなＩＣカードＣが使用される場合などにも、仮視聴期間が延長されるのを抑制することができる。
【００７５】
なお、第２実施形態のその他の効果は、上記第１実施形態と同様である。
【００７６】
[第３実施形態]
次に、図１を参照して、第３実施形態について説明する。この第３実施形態では、カード装着部１１にＩＣカードＣが装着された場合に、記憶部１９に記憶されたＥＣＭ情報を送信した上記第２実施形態の構成に加えて、所定の条件で、記憶部１９に記憶されたＥＣＭ情報を消去する例について説明する。
【００７７】
（放送受信装置の構成）
本発明の第３実施形態による放送受信装置３００は、図１に示すように、制御部２２１を備える点で、上記第２実施形態の放送受信装置２００とは相違する。なお、上記第２実施形態と同一の構成については、同じ符号を付してその説明を省略する。
【００７８】
（ＥＣＭ情報の消去制御）
第３実施形態では、制御部２２１は、放送受信装置３００を初期化する（工場出荷状態に戻す）場合には、記憶部１９に記憶されたＥＣＭ情報を消去する制御を行うように構成されている。
【００７９】
つまり、第３実施形態では、制御部２２１は、放送受信装置３００を初期化する場合には、記憶部１９に記憶された放送受信装置３００の他のデータと共にＥＣＭ情報も消去する制御を行うように構成されている。
【００８０】
なお、第３実施形態のその他の構成は、上記第２実施形態と同様である。
【００８１】
（第３実施形態の効果）
第３実施形態では、以下のような効果を得ることができる。
【００８２】
第３実施形態では、上記のように、選局されたチャンネルの放送信号のデスクランブル処理に用いられるＩＣカードＣと、選局されたチャンネルの放送信号のデスクランブル処理に用いられないＩＣカードＣとに対して送信する制御を行うように制御部２２１を構成する。これにより、上記第１実施形態と同様に、複数のＩＣカードＣが用いられる場合であっても、仮視聴期間が延長されることを抑制することができる。
【００８３】
また、第３実施形態では、上記のように、放送受信装置３００を初期化する場合に、記憶部１９に記憶されたＥＣＭ情報を消去する制御を行うように制御部２２１を構成する。これにより、譲渡の際に一般的に行われる初期化を条件として、ＥＣＭ情報を消去することができる。その結果、たとえば放送受信装置３００が新たな正規のユーザに譲渡され、新たな正規のユーザが正規に入手したＩＣカードＣがカード装着部１１に装着された場合に、記憶部１９に記憶された過去のＥＣＭ情報に基づいて、過去の時点から仮視聴期間が開始されるのを防止することができる。その結果、新たな正規のユーザが仮視聴期間に仮視聴できなくなるのを抑制することができる。
【００８４】
なお、第３実施形態のその他の効果は、上記第２実施形態と同様である。
【００８５】
（変形例）
なお、今回開示された実施形態は、全ての点で例示であって制限的なものではないと考えられるべきである。本発明の範囲は、上記した実施形態の説明ではなく特許請求の範囲によって示され、さらに特許請求の範囲と均等の意味および範囲内での全ての変更（変形例）が含まれる。
【００８６】
たとえば、上記第１〜第３実施形態では、放送受信装置１００（２００、３００）に、複数（３つ）のカード装着部１１を設けた例を示したが、本発明はこれに限られない。本発明では、放送受信装置に、３つ以外の複数のカード装着部を設けてもよい。
【００８７】
また、上記第１〜第３実施形態では、複数（３つ）のＩＣカードＣ（Ｃ１〜Ｃ３）の全てに対して、取得されたＥＣＭ情報を送信した例を示したが、本発明はこれに限られない。本発明では、デスクランブル処理に用いられるＩＣカードと、デスクランブル処理に用いられないＩＣカードのうち一部のＩＣカードとに対して、取得されたＥＣＭ情報を送信してもよい。
【００８８】
また、上記第１〜第３実施形態では、本発明の仮視聴期間開始情報として、ＥＣＭ情報を用いた例を示したが、本発明はこれに限られない。本発明では、仮視聴期間を開始するための情報であれば、仮視聴期間開始情報としてＥＣＭ情報以外の情報を用いてもよい。
【００８９】
また、上記第１〜第３実施形態では、取得されたＥＣＭ情報が、初めて選局されたチャンネルのＥＣＭ情報である場合には、複数（３つ）のＩＣカードＣの全てに対してＥＣＭ情報を送信した例を示したが、本発明はこれに限られない。本発明では、ＥＣＭ情報が取得される度に、複数のＩＣカードの全てに対してＥＣＭ情報を送信してもよい。
【００９０】
また、上記第１実施形態では、本発明のチャンネル情報として、ＥＣＭ情報を用いた例を示したが、本発明はこれに限られない。本発明では、送信されたＥＣＭ情報のチャンネルを判断可能な情報であれば、チャンネル情報としてＥＣＭ情報以外の情報を用いてもよい。
【００９１】
また、上記第２実施形態では、カード装着部１１にＩＣカードＣが装着された場合に、カード装着部１１に装着されたＩＣカードＣに対して、記憶部１９に記憶されたＥＣＭ情報を送信した例を示したが、本発明はこれに限られない。本発明では、カード装着部にＩＣカードが装着された場合に、カード装着部に装着されているＩＣカードの全てに対して、記憶部１９に記憶されたＥＣＭ情報を送信してもよい。これにより、カード装着部に装着されているＩＣカードのうちに、仮視聴期間を開始するタイミング（ＥＣＭ情報が送信されたタイミング）で、別チャンネルの録画処理などのためＥＣＭ情報を処理できなかった所定のＩＣカードがあったとしても、カード装着部にＩＣカードが装着されたタイミングで、所定のＩＣカードの仮視聴期間を開始させることができる。
【００９２】
また、上記第３実施形態では、放送受信装置３００を初期化する場合に、記憶部１９に記憶されたＥＣＭ情報を消去した例を示したが、本発明はこれに限られない。本発明では、初期化以外の場合に、記憶部に記憶されたＥＣＭ情報を消去してもよい。たとえば、カード装着部に装着される複数のＩＣカードが、異なる複数のＩＣカードに変更された場合に、記憶部に記憶されたＥＣＭ情報を消去してもよい。この場合、異なる複数のＩＣカードに変更されたか否かは、カード識別情報に基づいて判断すればよい。これによっても、たとえば放送受信装置が新たなユーザに譲渡され、正規なユーザが正規に入手したＩＣカードがカード装着部に装着された場合に、記憶部に記憶された過去のＥＣＭ情報に基づいて、過去の時点から仮視聴期間が開始されるのを防止することができる。
【００９３】
また、上記第１および第２実施形態では、説明の便宜上、本発明の制御部２１（１２１）の処理を処理フローに沿って順番に処理を行うフロー駆動型のフローチャートを用いて説明したが、本発明はこれに限られない。本発明では、制御部２１（１２１）の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００９４】
１１、１１ａ〜１１ｃ  カード装着部
１２、１２ａ〜１２ｉ  受信部
１９  記憶部（第１記憶部、第２記憶部）
２１、１２１、２２１  制御部
１００、２００、３００  放送受信装置
Ｃ、Ｃ１〜Ｃ４  ＩＣカード
【図１】
0006443234.tif 000002
【図２】
0006443234.tif 000003
【図３】
0006443234.tif 000004
【図４】
0006443234.tif 000005
【図５】
0006443234.tif 000006
【図６】
0006443234.tif 000007